【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  被監視サイト、監視サイト及び確認サイトの３種類のサイトを有し、通信回線を介して遠隔地の監視を行う監視システムであって、
上記被監視サイトは、所定の情報監視手段によって詳細な監視情報を収集し、上記収集した詳細な監視情報を記録媒体に記録するとともに、上記記録媒体に記録した詳細な情報を簡略化した情報を上記監視サイトに送信するようにし、
上記監視サイトは、上記被監視サイトから送信される簡略化された情報を元にして異常が発生したか否かを判定し、異常が発生した可能性があると判定した場合には上記確認サイトにそれを通知するようにし、
上記確認サイトは、上記被監視サイト経由で転送されてきた詳細な監視情報を元にして、上記被監視サイトに異常が発生したのが間違いないか判定するとともに、上記記録媒体に記録されている詳細な情報を上記監視サイトに送信することを上記被監視サイトに指示することを特徴とする監視システム。
【請求項２】  被監視サイト、監視サイト及び確認サイトの３種類のサイトを有し、通信回線を介して遠隔地の監視を行う監視システムであって、
上記被監視サイトは、監視の対象となる場所や物体に関する監視情報を収集するための情報収集手段と、上記情報収集手段により収集した監視情報から不必要な情報を削除するための情報簡略化手段と、上記情報収集手段により収集した監視情報を蓄積保存する情報蓄積手段と、上記情報収集手段により収集した監視情報を上記監視サイト及び確認サイトに送信する監視情報送信手段と、上記監視サイト及び確認サイトからの指令を受信して実行する指令実行手段と、必要に応じてユーザ認証を行う認証手段とを有し、
上記監視サイトは、上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段とを有し、
上記確認サイトは、上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段と、上記被監視サイトから通知された異常と思われる状況の報告を受信するための通知受信手段と、上記通知受信手段が受信した通知に応じて、より詳しい情報を要求する処理を含む処理を行う通知解析手段とを有することを特徴とする監視システム。
【請求項３】  上記被監視サイトにおける情報収集手段として、ビデオカメラを使用することを特徴とする請求項２に記載の監視システム。
【請求項４】  上記被監視サイトにおける情報収集手段として、赤外線センサを含むセンサ機器を使用することを特徴とする請求項２に記載の監視システム。
【請求項５】  上記被監視サイトにおける情報簡略化手段として、画像のモザイク化処理を行うモザイク手段を使用することを特徴とする請求項２に記載の監視システム。
【請求項６】  上記被監視サイトにおける情報蓄積手段が、一定期間のみ監視情報を蓄積する一次蓄積手段と、期間に関係なく監視情報を蓄積する二次蓄積手段とから構成されていることを特徴とする請求項２〜５の何れか１項に記載の監視システム。
【請求項７】  上記被監視サイトにおける認証手段は、必要に応じて新しい認証情報を生成することを特徴とする請求項２〜５の何れか１項に記載の監視システム。
【請求項８】  上記監視サイトにおける指令入力手段は、簡略化された情報の送信開始/終了の指令、簡略化されていない情報の送信開始/終了の指令、上記確認サイトへの通知の指令のうち、少なくとも１つの指令の入力が可能であることを特徴とする請求項２〜６の何れか１項に記載の監視システム。
【請求項９】  上記監視サイトにおける指令入力手段は、上記ビデオカメラのパン、チルト、ズームを含む種々の操作を指令することが可能であることを特徴とする請求項２〜６の何れか１項に記載の監視システム。
【請求項１０】  上記確認サイトへの通知指令によって、上記被監視サイトが確認サイトへの通知を行うことを特徴とする請求項２〜８の何れか１項に記載の監視システム。
【請求項１１】  上記確認サイトへの通知には、上記情報収集手段によって収集された監視情報と、上記認証手段によって生成された情報を含むことを特徴とする請求項１０に記載の監視システム。
【請求項１２】  上記確認サイトとして携帯電話を使用することを特徴とする請求項２〜１１の何れか１項に記載の監視システム。
【請求項１３】  上記確認サイトの指令入力手段は、簡略化されていない情報の送信開始/終了の指令の入力が可能に構成されていることを特徴とする請求項２〜１２の何れか１項に記載の監視システム。
【請求項１４】  上記確認サイトの指令入力手段は、上記簡略化されていない情報の送信開始指令に、情報の送信先として上記確認サイト自身ないし上記監視サイトを指定することが可能なことを特徴とする請求項１３に記載の監視システム。
【請求項１５】  上記被監視サイトは、上記情報蓄積手段によって蓄積された情報からサンプルとなる代表的な情報を取り出してサンプル情報を作成するサンプル情報作成手段を有することを特徴とする請求項２〜１３の何れか１項に記載の監視システム。
【請求項１６】  監視サイト及び確認サイトとともに、通信回線を介して遠隔地の監視を行う監視システムを構成するための被監視サイトであって、
監視の対象となる場所や物体に関する監視情報を収集するための情報収集手段と、上記情報収集手段により収集した監視情報から不必要な情報を削除するための情報簡略化手段と、上記情報収集手段により収集した監視情報を蓄積保存する情報蓄積手段と、上記情報収集手段により収集した監視情報を上記監視サイト及び確認サイトに送信する監視情報送信手段と、上記監視サイト及び確認サイトからの指令を受信して実行する指令実行手段と、必要に応じてユーザ認証を行う認証手段とを有することを特徴とする被監視サイト。
【請求項１７】  被監視サイト及び確認サイトとともに、通信回線を介して遠隔地の監視を行う監視システムを構成するための監視サイトであって、
上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段とを有することを特徴とする監視サイト。
【請求項１８】  被監視サイト及び監視サイトとともに、通信回線を介して遠隔地の監視を行う監視システムを構成するための確認サイトであって、
上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段と、上記被監視サイトから通知された異常と思われる状況の報告を受信するための通知受信手段と、上記通知受信手段が受信した通知に応じて、より詳しい情報を要求する処理を含む処理を行う通知解析手段とを有することを特徴とする確認サイト。
【請求項１９】  被監視サイト、監視サイト及び確認サイトの３種類のサイトを利用して、通信回線を介して遠隔地の監視を行う監視方法であって、
上記被監視サイトは、監視の対象となる場所や物体に関する監視情報を収集するための情報収集処理と、上記情報収集処理により取得した監視情報から不必要な情報を削除するための情報簡略化処理と、上記情報収集処理により取得した監視情報を蓄積保存する情報蓄積処理と、上記情報収集処理により取得した監視収集した情報を上記監視サイト及び確認サイトに送信する監視情報送信処理と、上記監視サイト及び確認サイトからの指令を受信して実行する指令実行処理と、必要に応じてユーザ認証を行う認証処理とを行い、
上記監視サイトは、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理とを行い、
上記確認サイトは、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理と、上記被監視サイトから通知された異常と思われる状況の報告を受信するための通知受信処理と、上記通知受信処理が受信した通知に応じて、より詳しい情報を要求する処理を含む処理を行う通知解析処理とを行うことを特徴とする監視方法。
【請求項２０】  被監視サイト、監視サイト及び確認サイトの３種類のサイトを利用して、通信回線を介して遠隔地の監視を行う監視方法をコンピュータに実行させるプログラムであって、
上記被監視サイトには、監視の対象となる場所や物体に関する監視情報を収集するための情報収集処理と、上記情報収集処理により取得した監視情報から不必要な情報を削除するための情報簡略化処理と、上記情報収集処理により取得した監視情報を蓄積保存する情報蓄積処理と、上記情報収集処理により取得した監視収集した情報を上記監視サイト及び確認サイトに送信する監視情報送信処理と、上記監視サイト及び確認サイトからの指令を受信して実行する指令実行処理と、必要に応じてユーザ認証を行う認証処理とを実行させ、
上記監視サイトには、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理とを実行させ、
上記確認サイトには、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理と、上記被監視サイトから通知された異常と思われる状況の報告を受信するための通知受信処理と、上記通知受信処理が受信した通知に応じて、より詳しい情報を要求する処理を含む処理を行う通知解析処理とを実行させることを特徴とするコンピュータプログラム。
【請求項２１】  上記請求項２０に記載のコンピュータプログラムを記録したことを特徴とする記録媒体。
【手続補正２】
【補正対象書類名】明細書
【補正対象項目名】０００６
【補正方法】変更
【補正の内容】
【０００６】
【課題を解決するための手段】
本発明の監視システムは、被監視サイト、監視サイト及び確認サイトの３種類のサイトを有し、通信回線を介して遠隔地の監視を行う監視システムであって、上記被監視サイトは、所定の情報監視手段によって詳細な監視情報を収集し、上記収集した詳細な監視情報を記録媒体に記録するとともに、上記記録媒体に記録した詳細な情報を簡略化した情報を上記監視サイトに送信するようにし、上記監視サイトは、上記被監視サイトから送信される簡略化された情報を元にして異常が発生したか否かを判定し、異常が発生した可能性があると判定した場合には上記確認サイトにそれを通知するようにし、上記確認サイトは、上記被監視サイト経由で転送されてきた詳細な監視情報を元にして、上記被監視サイトに異常が発生したのが間違いないか判定するとともに、上記記録媒体に記録されている詳細な情報を上記監視サイトに送信することを上記被監視サイトに指示することを特徴とする。
また、本発明の監視システムの他の特徴とするところは、被監視サイト、監視サイト及び確認サイトの３種類のサイトを有し、通信回線を介して遠隔地の監視を行う監視システムであって、上記被監視サイトは、監視の対象となる場所や物体に関する監視情報を収集するための情報収集手段と、上記情報収集手段により収集した監視情報から不必要な情報を削除するための情報簡略化手段と、上記情報収集手段により収集した監視情報を蓄積保存する情報蓄積手段と、上記情報収集手段により収集した監視情報を上記監視サイト及び確認サイトに送信する監視情報送信手段と、上記監視サイト及び確認サイトからの指令を受信して実行する指令実行手段と、必要に応じてユーザ認証を行う認証手段とを有し、上記監視サイトは、上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段とを有し、上記確認サイトは、上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段と、上記被監視サイトから通知された異常と思われる状況の報告を受信するための通知受信手段と、上記通知受信手段が受信した通知に応じて、より詳しい情報を要求する処理を含む処理を行う通知解析手段とを有することを特徴とする。
本発明の被監視サイトは、監視サイト及び確認サイトとともに、通信回線を介して遠隔地の監視を行う監視システムを構成するための被監視サイトであって、監視の対象となる場所や物体に関する監視情報を収集するための情報収集手段と、上記情報収集手段により収集した監視情報から不必要な情報を削除するための情報簡略化手段と、上記情報収集手段により収集した監視情報を蓄積保存する情報蓄積手段と、上記情報収集手段により収集した監視情報を上記監視サイト及び確認サイトに送信する監視情報送信手段と、上記監視サイト及び確認サイトからの指令を受信して実行する指令実行手段と、必要に応じてユーザ認証を行う認証手段とを有することを特徴とする。
本発明の監視サイトは、被監視サイト及び確認サイトとともに、通信回線を介して遠隔地の監視を行う監視システムを構成するための監視サイトであって、上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段とを有することを特徴とする。
本発明の確認サイトは、被監視サイト及び監視サイトとともに、通信回線を介して遠隔地の監視を行う監視システムを構成するための確認サイトであって、上記被監視サイトで収集された監視情報を受信するための情報受信手段と、上記被監視サイトで収集された監視情報を表示するための情報表示手段と、上記被監視サイトに対する指令を入力するための指令入力手段と、上記被監視サイトに指令を送信するための指令送信手段と、上記被監視サイトから通知された異常と思われる状況の報告を受信するための通知受信手段と、上記通知受信手段が受信した通知に応じて、より詳しい情報を要求する処理を含む処理を行う通知解析手段とを有することを特徴とする。
本発明の監視方法は、被監視サイト、監視サイト及び確認サイトの３種類のサイトを利用して、通信回線を介して遠隔地の監視を行う監視方法であって、上記被監視サイトは、監視の対象となる場所や物体に関する監視情報を収集するための情報収集処理と、上記情報収集処理により取得した監視情報から不必要な情報を削除するための情報簡略化処理と、上記情報収集処理により取得した監視情報を蓄積保存する情報蓄積処理と、上記情報収集処理により取得した監視収集した情報を上記監視サイト及び確認サイトに送信する監視情報送信処理と、上記監視サイト及び確認サイトからの指令を受信して実行する指令実行処理と、必要に応じてユーザ認証を行う認証処理とを行い、上記監視サイトは、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理とを行い、上記確認サイトは、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理と、上記被監視サイトから通知された異常と思われる状況の報告を受信するための通知受信処理と、上記通知受信処理が受信した通知に応じて、より詳しい情報を要求する処理を含む処理を行う通知解析処理とを行うことを特徴とする。
本発明のプログラムは、被監視サイト、監視サイト及び確認サイトの３種類のサイトを利用して、通信回線を介して遠隔地の監視を行う監視方法をコンピュータに実行させるプログラムであって、上記被監視サイトには、監視の対象となる場所や物体に関する監視情報を収集するための情報収集処理と、上記情報収集処理により取得した監視情報から不必要な情報を削除するための情報簡略化処理と、上記情報収集処理により取得した監視情報を蓄積保存する情報蓄積処理と、上記情報収集処理により取得した監視収集した情報を上記監視サイト及び確認サイトに送信する監視情報送信処理と、上記監視サイト及び確認サイトからの指令を受信して実行する指令実行処理と、必要に応じてユーザ認証を行う認証処理とを実行させ、上記監視サイトには、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理とを実行させ、上記確認サイトには、上記被監視サイトで収集された監視情報を受信するための情報受信処理と、上記被監視サイトで収集された監視情報を表示するための情報表示処理と、上記被監視サイトに対する指令を入力するための指令入力処理と、上記被監視サイトに指令を送信するための指令送信処理と、上記被監視サイトから通知された異常と思われる状況の報告を受信するための通知受信処理と、上記通知受信処理が受信した通知に応じて、より詳しい情報を要求する処理を含む処理を行う通知解析処理とを実行させることを特徴とする。
本発明の記録媒体は、上記に記載のコンピュータプログラムを記録したことを特徴とする。